(57)【要約】      （修正有）【課題】清掃用剤を付帯させる清掃具において、剤容器を空気置換の必要のない簡素な構造にし、剤容器の残量のチェックを容易にし、剤容器の廃棄性を向上すること。【解決手段】清掃具１０であって、柄１１の下端に自在継手１２を介して清掃ヘッド１３を連結し、前記柄１１に清掃用剤を収容した可撓袋１を着脱自在に取り付け、柄１１の上部に設けられた剤吐出操作部（不図示）の操作により、前記可撓袋１の清掃用剤を吐出器１６から吐出して、清掃シートに吸着させる。【選択図】  図１
2004242800.tif 000002
【特許請求の範囲】
【請求項１】
清掃用剤を収容した可撓袋を着脱自在にした清掃具。
【請求項２】
前記可撓袋に、ゴム管付き接続具を封着し、ゴム管を注ぎ口とする請求項１に記載の清掃具。
【請求項３】
前記清掃用剤の吐出器を清掃ヘッドに設け、清掃シートを清掃ヘッドに巻付けてなる請求項１又は２に記載の清掃具。
【発明の詳細な説明】
【０００１】
【発明の属する技術分野】
本発明は清掃具に関する。
【０００２】
【従来の技術】
特許文献１に記載の如く、柄の下端に清掃ヘッドを連結し、柄の中間部に取付けられるワックスタンクと清掃ヘッドの内部に設けられるワックス槽とをパイプにて接続し、このパイプの中間部位に手動式開閉バルブを設けた清掃具がある。開閉バルブを開いてワックスタンクのワックスをパイプ経由でワックス槽に供給すると、ワックス槽に供給されたワックスがその流出孔から流れ出し、床面等に均一に塗布される。
【０００３】
【特許文献１】
特開平２−７７２２２（３頁、第１図）
【０００４】
【発明が解決しようとする課題】
特許文献１の清掃具には以下の問題点がある。
▲１▼タンクは硬質で撓まず、剤の流出時に、剤を空気と置換する必要があり、タンクに空気置換構造を設ける必要があり、複雑になる。
【０００５】
▲２▼タンクは剤の残量が減っても撓まず、残量のチェックに困難がある。
▲３▼タンクは硬質で廃棄時の容積を小さくできず、廃棄性が悪い。
【０００６】
▲４▼清掃用剤を収容した硬質で大重量のタンクを設ける。清掃具が重くなり、操作性が悪い。また、硬いタンクが柄の周囲に出っ張り、狭い場所の清掃中に邪魔になり、操作性が悪い。
【０００７】
本発明の課題は、従来技術の上述▲１▼〜▲４▼の問題点のうち、特に▲１▼〜▲３▼の問題点を解決しようとするものであり、清掃用剤を付帯させる清掃具において、剤容器を空気置換の必要のない簡素な構造にし、剤容器の残量のチェックを容易にし、剤容器の廃棄性を向上することにある。
【０００８】
【課題を解決するための手段】
請求項１の発明は、清掃用剤を収容した可撓袋を着脱自在にした清掃具である。
【０００９】
【発明の実施の形態】
清掃具１０は、図１に示す如く、柄１１の下端に自在継手１２を介して清掃ヘッド１３を連結し、洗剤液、ワックス等の剤を伴なう湿式、又は剤を伴なわない乾式により、床面等の被清掃部を清掃可能にする。
【００１０】
清掃具１０は、柄１１の中間部に可撓袋（パウチ）１を着脱自在に取付け、可撓袋１に洗剤液、ワックス等の剤を収容する。可撓袋１は、天地逆向きにし、底部側の取付孔３を上方に配置して柄１１に着脱自在に通し、上縁側の注ぎ口形成体２を下方に配置して柄１１に設けた継手１４に着脱自在に接続する。継手１４は、柄１１の中間部に設けた固定孔に挿着される支持板１４Ａと、柄１１の外側で支持板１４Ａに一体化されている継手管１４Ｂとを有し、継手管１４Ｂの一端に可撓袋１の注ぎ口形成体２の後述するゴム管３２が着脱自在に接続され、継手管１４Ｂの他端にゴム管等の接続チューブ１５が着脱自在に接続される。
【００１１】
継手１４の継手管１４Ｂの他端に接続された接続チューブ１５は、柄１１の中間部に設けた挿通孔から柄１１の内部に挿通され、柄１１の下端に設けた挿通孔から柄１１の外部に延出され、その延出端に剤吐出器１６が接続される。剤吐出器１６は清掃ヘッド１３の前部上面に固定され、清掃ヘッド１３の進み方向の前方側に剤を散布状に吐出可能にする。剤吐出器１６は清掃ヘッド１３の内部に設けられ、清掃ヘッド１３の底部をメッシュ状、スポンジ状等にした剤透過底部に向けて剤を吐出しても良い。
【００１２】
柄１１の上部には剤吐出操作部（不図示）が設けられ、この剤吐出操作部にリンク機構を介して連結された連結ロッド１７は柄１１の内部に配置され、連結ロッド１７の下端に矩形状のチューブ開閉具１８を設けている。チューブ開閉具１８は前述の継手１４の支持板１４Ａを囲み、チューブ開閉具１８の挟み部１８Ａと支持板１４Ａとの間に接続チューブ１５の中間部を通し、チューブ開閉具１８と支持板１４Ａとの間に圧縮ばね１９を設けている。
【００１３】
剤吐出操作部の開き操作により連結ロッド１７及びチューブ開閉具１８を原位置から２段階又は多段階状に押し下げるとき、チューブ開閉具１８は圧縮ばね１９を圧縮して挟み部１８Ａを支持板１４Ａから離隔し、接続チューブ１５を開く（図２（Ａ））。これにより、可撓袋１の内容剤が接続チューブ１５経由で剤吐出器１６から吐出される。
【００１４】
剤吐出操作部による上述の押し下げを解除すると、チューブ開閉具１８は圧縮ばね１９の付勢力により挟み部１８Ａを支持板１４Ａの側に引き寄せ、挟み部１８Ａと支持板１４Ａの間に接続チューブ１５を挟み、接続チューブ１５を閉じる（図２（Ｂ））。
【００１５】
清掃具１０は、清掃ヘッド１３の底面まわりに清掃シート２１を巻付け可能にする。清掃シート２１は、紙、不織布、スポンジシート等の多孔質シートからなり、剤吐出器１６が吐出した剤を吸着した状態で床面等の被清掃部上に摺接せしめられる。
【００１６】
清掃具１０の湿式によるに清掃動作時には、使用者は適宜のタイミングで剤吐出操作部を開き操作し、可撓袋１の剤を接続チューブ１５経由で剤吐出器１６から吐出し、清掃シート２１に吸着させる。使用者が柄１１を介して清掃ヘッド１３に巻付けた清掃シート２１を床面等の被清掃部上で摺動させることにより、剤がしみ出る清掃シート２１により湿式清掃する。
【００１７】
清掃具１０の乾式による清掃動作時には、使用者は剤吐出操作部を開き操作することなく、清掃ヘッド１３に巻付けた清掃シート２１を床面等の被清掃部上で摺動させ、清掃シート２１による乾式清掃を行なう。このとき、柄１１から可撓袋１を取外せば、清掃具１０をより軽量化できる。
【００１８】
尚、清掃具１０にあっては、清掃ヘッド１３に清掃シート２１を巻付けることなく、清掃ヘッド１３のスポンジ状等の剤透過底部を床面等の被清掃部上に直接摺動させることにより、湿式清掃又は乾式清掃するものでも良い。
【００１９】
以下、可撓袋１の構成について説明する。
可撓袋１は、表裏２枚のポリエチレン等のプラスチック製胴部シートをヒートシール等により貼合わせて可撓袋本体１Ａを形成したものである。
【００２０】
可撓袋１は、袋本体１Ａを構成する２枚の胴部シートの上縁側貼り合せ部１ＢＢに注ぎ口形成体２を設け、底部側貼り合せ部に取付孔３を設ける。
【００２１】
袋本体１Ａの上縁部に設けられる注ぎ口形成体２は、接続具３１にゴム管３２を付帯させたゴム管付き接続具からなる。接続具３１はポリエチレン等のプラスチック体からなり、接続管３１Ａの基部に六角形状の頭部３１Ｂを、先端側の外周に複数条の環状突起部３１Ｃを備える。ゴム管３２はシリコンゴム等からなる。注ぎ口形成体２は、接続具３１における接続管３１Ａの先端部の環状突起部３１Ｃまわりにゴム管３２を液密に嵌着されて一体部品化される。
【００２２】
注ぎ口形成体２は、袋本体１Ａの２枚の胴部シートの上縁側貼り合せ部１Ｂの一部で、それらの胴部シートの間に接続具３１の頭部３１Ｂを挟んでそれらの３者をヒートシールすることにより、袋本体１Ａに接続具３１を隙間なく密着させて封着する。そして、袋本体１Ａの２枚の胴部シートの上縁側貼り合せ部１Ｂの他の部分で接続具３１の接続管３１Ａ及びゴム管３２の周囲を封止するように被覆する。
【００２３】
可撓袋１の使用時には、２枚の胴部シートの上縁側貼り合せ部１Ｂのゴム管３２を覆っている先端封止部１Ｃをカットし、ゴム管３２の管端の開口部を注ぎ口３２Ａとする。本実施形態では、柄１１に設けた継手１４の継手管１４Ｂの一端に、ゴム管３２の注ぎ口３２Ａが着脱自在に接続される。
【００２４】
本実施形態の清掃具１０によれば、以下の作用効果を奏する。
▲１▼可撓袋１は軟質で撓み易く、剤の流出に伴なって自然に収縮するから、空気置換構造を設ける必要がなく、簡素になる。
【００２５】
▲２▼可撓袋１は剤の残量が減るに従い収縮するから、残量を容易にチェックできる。
【００２６】
▲３▼可撓袋１は廃棄時に丸める等により容積を小さくすることができ、廃棄性を向上できる。
【００２７】
▲４▼剤容器を軟質で軽い可撓袋１にした。従って、清掃具１０を軽量化でき、操作性を向上できる。また、可撓袋１は柔軟で出っ張らず、狭い場所の清掃中に邪魔にならず、操作性を向上できる。
【００２８】
▲５▼可撓袋１に、ゴム管付き接続具３１を封着し、ゴム管３２を注ぎ口３２Ａとした。従って、剤吐出器１６に接続された接続チューブ１５の継手管１４Ｂを、柔軟な弾性体であるゴム管３２の注ぎ口３２Ａに液漏れなしに簡易に接続できる。
【００２９】
▲６▼清掃ヘッド１３に設けた剤吐出器１６から吐出させた剤を、清掃ヘッド１３に巻付けた清掃シート２１に吸着させた状態で、この清掃シート２１を床面等の被清掃面に摺動させて清掃できる。
【００３０】
また、本発明の可撓袋１によれば、以下の作用効果を奏する。
▲１▼接続具３１とゴム管３２により注ぎ口形成体２を構成するに際し、ゴム管３２は接続具３１を介して袋本体１Ａに取着される。袋本体１Ａを構成する２枚のプラスチックシートの間に、プラスチック製接続具３１を挟んでヒートシールするとき、接続具３１を袋本体１Ａに液漏れなしに封着できる。
【００３１】
▲２▼ゴム管３２は柔軟な弾性体であるが故に、接続チューフ１５が接続された継手管１４Ｂを液漏れなしに接続できる。
【００３２】
▲３▼接続チューブ１５が接続された継手管１４Ｂを取外したとき、ゴム管３２を挟む等により容易に閉塞でき、ゴム管３２が注ぎ口３２Ａを液漏れなしに閉じることができる。ゴム管３２は接続チューブ及び継手管１４Ｂを接続した状態でも容易に閉塞できる。
【００３３】
図５は可撓袋１の変形例である。袋本体１Ａの上縁部に設けられる注ぎ口形成体２は、接続具４１にゴム管４２を付帯させたゴム管付き接続具からなる。接続具４１はポリエチレン等のプラスチック体からなり、接続管４１Ａの基部に六角形状の頭部４１Ｂを、先端側の外周に複数条の環状突起部４１Ｃを備える。ゴム管４２はシリコンゴム等からなる。注ぎ口形成体２は、接続具４１における接続管４１Ａの先端部の環状突起部４１Ｃまわりにゴム管４２を液密に嵌着されて一体部品化される。このとき、ゴム管４２は、接続具４１の接続管４１Ａに嵌着される側と反対側の管端に隔膜４２Ａを設け、この管端を隔膜４２Ａによって封止した閉塞状にする。
【００３４】
注ぎ口形成体２は、袋本体１Ａの２枚の胴部シートの上縁側貼り合せ部１Ｂで、それらの胴部シートの間に接続具４１の頭部４１Ｂを挟んでそれらの３者をヒートシールすることにより、袋本体１Ａに接続具４１を隙間なく密着させて封着する。接続具４１の接続管４１Ａに嵌着されたゴム管４２は上縁側貼り合せ部１Ｂの外部に露出する。
【００３５】
図５の可撓袋１が用いられる清掃具１０にあっては、柄１１に設けられる継手１４の継手管１４Ｂの先端部にニードル１４Ｃを備える。そして、可撓袋１の使用時には、柄１１に設けた継手１４の継手管１４Ｂのニードル１４Ｃに、ゴム管４２の隔膜４２Ａを着脱自在に挿通し、隔膜４２Ａの挿通された開封部分を注ぎ口４２Ｂにする。
【００３６】
本実施形態の可撓袋１によれば、以下の作用効果を奏する。
▲１▼ゴム管４２の管端に設けた隔膜４２Ａを、接続チューブ１５の側に設けた継手１４のニードル１４Ｃにより挿通する等により、ゴム管４２の管端に簡易に注ぎ口４２Ｂを開封できる。可撓袋１を下向き配置した状態でも、液漏れを生じさせることなく、下向きのゴム管４２に接続チューブ１５の側に設けた上向きの継手１４を接続できる。
【００３７】
▲２▼接続チューブ１５の側に設けた継手１４のニードル１４Ｃを取外したとき、ゴム管４２の開封されていた隔膜４２Ａの開封部分は直ちに自閉し、袋本体１Ａからの液漏れを生じさせないし、袋本体１Ａの内部への外気、塵埃の侵入を阻止する。
【００３８】
本発明においては、可撓袋に封着した接続具に嵌着してあるゴム管に、金属管等の硬質接続チューブを、継手等を介することなく、直接的に接続するものでも良い。
【００３９】
【発明の効果】
本発明によれば、清掃用剤を付帯させる清掃具において、剤容器を空気置換の必要のない簡素な構造にし、剤容器の残量のチェックを容易にし、剤容器の廃棄性を向上することができる。
【図面の簡単な説明】
【図１】図１は清掃具を一部破断して示す模式図である。
【図２】図２はチューブ開閉具を示す模式図である。
【図３】図３は可撓袋を一部破断して示す模式図である。
【図４】図４はゴム管付き接続具を示す模式図である。
【図５】図５は隔膜を供えたゴム管を示す模式図である。
【符号の説明】
１  可撓袋
１０  清掃具
１３  清掃ヘッド
１６  剤吐出器
２１  清掃シート
３１、４１  接続具
３２、４２  ゴム管
３２Ａ、４２Ｂ  注ぎ口
【図１】
2004242800.tif 000003
【図２】
2004242800.tif 000004
【図３】
2004242800.tif 000005
【図４】
2004242800.tif 000006
【図５】
2004242800.tif 000007